(57)【要約】      （修正有）【課題】近年、増加傾向にある家畜排泄物を野積みおよび素掘りなどによって引き起こされる環境問題に対し、環境基準を遵守し適正に対応処理できる回転式高速乾燥熱分解装置の提供。【解決手段】回転式高速乾燥熱分解装置であり非常に高い放射熱温度を有するセパレート式高温高速ターボジェットバーナー装置を設置し、装置本体内部に回転稼動機能を備え、安定して家畜排泄物を高速乾燥させ、また、発生する乾燥熱等を無駄なくすべて再利用し、乾燥された家畜排泄物は有機質資材として供給可能なように構成した。【選択図】図１
2008070101.tif 000002
【特許請求の範囲】
【請求項１】
回転式高速乾燥熱分解装置において、装置本体は三層の円筒状で構成され、外筒管は耐火キャスタブルおよび断熱キャスタブルおよび鉄管で構成され、中筒管は耐熱性および耐酸性の高いステンレス管で構成され、内筒管は網状のステンレス鋼でできたエキスパンドメタルで構成されていることを特徴とした回転式高速乾燥熱分解装置。
【請求項２】
前記回転式高速乾燥熱分解装置には、家畜排泄物を搬入することを目的としたスクリュー装置および攪拌装置が設置されていることを特徴とした請求項１記載の回転式高速乾燥熱分解装置。
【請求項３】
前記回転式高速乾燥熱分解装置の架台は上架台および下架台で構成されている。下架台は固定されているが、上架台は油圧ジャッキにて上下に稼動することが可能な仕組みとなっており、上下に稼動させる目的として前記回転式高速乾燥熱分解装置に傾斜を与えることを特徴とした請求項１または２いずれか記載の回転式高速乾燥熱分解装置。
【請求項４】
前記耐火キャスタブルおよび断熱キャスタブルおよび鉄管で構成された外筒管は、前記上架台に固定されているが、前記耐熱性および耐酸性の高いステンレス管で構成された中筒管と、前記網状のステンレス鋼でできたエキスパンドメタルで構成された内筒管は回転稼動される仕組みとなっていることを特徴とした請求項１または２または３いずれか記載の回転式高速乾燥熱分解装置。
【請求項５】
前記回転式高速乾燥熱分解装置には、高い放射熱温度を有するセパレート式高温高速ターボジェットバーナー装置が設置され、家畜排泄物を高速で熱分解して乾燥させることを特徴とした請求項１または２または３または４いずれか記載の回転式高速乾燥熱分解装置。
【発明の詳細な説明】
【発明の詳細な説明】
【技術分野】
【０００１】本発明は主として、畜産農家より排出される家畜排泄物を高速乾燥させ迅速に堆肥化し、堆肥化された前記家畜排泄物を家畜舎の敷き材および農作物の肥料および土壌改良材として使用し、バイオマス資源として利活用することを目的としている。また、リサイクル装置として温風利用および発電能力を有する回転式高速乾燥熱分解装置に関するものである。
【技術背景】
【０００２】従来、畜産農家から排出される家畜排泄物は前記畜産農家が主体で前記家畜排泄物の管理施設を建設して、前記家畜排泄物を発酵させ堆肥化している。
【０００３】しかし、前記畜産農家の家畜の飼育数によって異なるが、前記家畜排泄物の管理施設を確保するためには多額の費用が必要である。そのため現在、前記管理施設を確保できずに前記家畜排泄物を野積みおよび素掘り状態としている前記畜産農家が多く、野積みおよび素掘り状態とすると、地下水源の汚染などを引き起こすなど深刻な問題となっているのが実情である。
【０００４】また、前記家畜排泄物を発酵させ堆肥化するにはかなりの日数を要する。送風装置を用いて繰り返し何度も乾燥させることにより堆肥となり、前記工程において堆肥化となるには、早くても１ヵ月程度の時間を要する。
【０００５】この現状を打開しようと、前記畜産農家ではさまざまな機械等を用いて、早期堆肥化を進めているが資金および技術等の問題で困難を極めている。
【０００６】前記技術の問題とは、家畜の種類によっても異なるが、牛および馬などの排泄物であれば比較的臭気も少ないが、豚および鶏などの排泄物であれば強烈な臭気を伴う。前記技術の一番の問題は、この臭気を抑制することであり、同じく前記畜産農家ごとの前記家畜排泄物の適正な管理基準を遵守することが大事であると考えられる。
【発明が解決しようとする課題】
【０００７】本発明は、以上のような諸局面にかんがみてなされたもので高速で乾燥させ、バイオマス資源として利活用できる有機質資材へと変換し、リサイクル装置としては発電能力を有し、温風利用ができる。また、設置場所も小規模で臭気の問題にも対応し、購入費およびランニングコストが安価な、回転式高速乾燥熱分解装置の提供を目的としている。
【課題を解決するための手段】
【０００８】本発明は、次の各項（１）、（２）、（３）、（４）、（５）のいずれかの回転式高速乾燥熱分解装置を提供することにより、前記課題を解決しようとするものである。
【０００９】（１）回転式高速乾燥熱分解装置において、装置本体は三層の円筒状で構成され、外筒管は耐火キャスタブルおよび断熱キャスタブルおよび鉄管で構成され、中筒管は耐熱性および耐酸性の高いステンレス管で構成され、内筒管は網状のステンレス鋼でできたエキスパンドメタルで構成されていることを特徴とした回転式高速乾燥熱分解装置。
【００１０】（２）前記回転式高速乾燥熱分解装置には、家畜排泄物を搬入することを目的としたスクリュー装置および攪拌装置が設置されていることを特徴とした前項（１）記載の回転式高速乾燥熱分解装置。
【００１１】（３）前記回転式高速乾燥熱分解装置の架台は、上架台および下架台で構成されている。下架台は固定されているが上架台は油圧ジャッキにて上下に稼動することが可能な仕組みとなっており、上下に稼動させる目的として前記回転式高速乾燥熱分解装置に傾斜を与えることを特徴とした前項（１）または（２）いずれか記載の回転式高速乾燥熱分解装置。
【００１２】（４）前記耐火キャスタブルおよび断熱キャスタブルおよび鉄管で構成された外筒管は、前記上架台に固定されているが、前記耐熱性および耐酸性の高いステンレス管で構成された中筒管と、前記網状のステンレス鋼でできたエキスパンドメタルで構成された内筒管は、回転稼動される仕組みとなっていることを特徴とした前項（１）または（２）または（３）いずれか記載の回転式高速乾燥熱分解装置。
【００１３】（５）前記回転式高速乾燥熱分解装置には、高い放射熱温度を有するセパレート式高温高速ターボジェットバーナー装置が設置され、家畜排泄物を高速で熱分解して乾燥させることを特徴とした前項（１）または（２）または（３）または（４）いずれか記載の回転式高速乾燥熱分解装置。
【実施例】以下に本発明の実施例を図１に基づき説明する。【００１４】図１に、本発明に係る回転式高速乾燥熱分解装置の実施形態の概要断面説明図を示す。図１は前記回転式高速乾燥熱分解装置の外観側面図および側面内部図を表している。【００１５】前記回転式高速乾燥熱分解装置の構成は、大きく分けて図１の▲１▼耐火・断熱キャスタブルおよび鉄管で構成された外筒管、▲２▼耐熱性および耐酸性の高いステンレス管で構成された中筒管、▲３▼網状のステンレス鋼の内筒管、▲４▼攪拌装置、▲５▼スクリュー装置、▲６▼セパレート式高温高速ターボジェットバーナー、▲７▼上架台、▲８▼下架台、▲９▼回転軸支柱、▲１０▼排出口により構成されている。【００１６】本発明の実施形態の特徴は、家畜排泄物を▲４▼攪拌装置にベルトコンベアーおよび搬入機械などによって搬入する。【００１７】▲４▼攪拌装置に搬入された家畜排泄物は、▲５▼スクリュー装置によって▲３▼網状のステンレス鋼の内筒管に搬入される。▲３▼網状のステンレス鋼の内筒管に搬入される前から▲２▼耐熱性および耐酸性の高いステンレス管で構成された中筒管と、▲３▼網状のステンレス鋼の内筒管は、▲９▼回転軸支柱の働きにより回転稼動している。【００１８】回転稼動している▲３▼網状のステンレス鋼の内筒管に搬入された前記家畜排泄物は、再度攪拌作用によって細かな固形物となる。そして▲２▼耐熱性および耐酸性の高いステンレス管で構成された中筒管に落下し、▲６▼セパレート式高温高速ターボジェットバーナー装置の非常に高い放射熱温度によって加熱された、▲２▼耐熱性および耐酸性の高いステンレス管で構成された中筒管と、▲３▼網状のステンレス鋼の内筒管の間で高速乾燥される。【００１９】前記高速乾燥された前記家畜排泄物は、▲７▼上架台と▲８▼下架台に油圧ジャッキを設置し傾斜をつけることにより、次第に▲１０▼排出口に向かって進路をとり最終的に▲１０▼排出口から排出される。【００２０】▲１０▼排出口から排出された前記家畜排泄物は、搬出用のベルトコンベアーの上に落下し粉砕機へと搬送される。そして、粉砕機によって細かく処理された前記家畜排泄物は、再度ベルトコンベアーおよび搬送機械に有機質資材として保管施設へ搬送される。【００２１】また、▲６▼セパレート式高温高速ターボジェットバーナー装置の非常に高い放射熱温度により、前記家畜排泄物の臭気も大幅に抑制することができ▲１▼耐火・断熱キャスタブルおよび鉄管で構成された外筒管により、安全性および耐久性にも非常に優れている。【００２２】▲６▼セパレート式高温高速ターボジェットバーナー装置の非常に高い放射熱を熱利用することで、温風利用ができ、熱利用によって発電させることを可能とした。したがって、発生した乾燥熱および放射熱を無駄なくすべて熱利用として、再利用することができる。
【発明の効果】
【００２３】本発明により、近年、畜産経営の急激な大規模化の進行により、家畜排泄物は増加傾向にあり、反面では高齢化に伴う農作業の省力化のため化学肥料や農薬が用いられることが多くなり、堆肥の需要のアンバランスが生じるようになり、それに伴い家畜排泄物の野積みおよび素掘りから地下水源の汚染という問題が浮き彫りとなっています。本発明はそうした環境問題に適正に対応し、供給することができる。
【産業上の利用分野】
【００２４】本発明は主として、家畜排泄物を有機質資材へと変換することに関することである。
【図面の簡単な説明】
【００２５】
【図１】本発明に係る回転式高速乾燥熱分解装置の外観側面図および側面内部図である。
【符号の説明】
【００２６】▲１▼耐火・断熱キャスタブルおよび鉄管で構成された外筒管
▲２▼耐熱性および耐酸性の高いステンレス管で構成された中筒管
▲３▼網状のステンレス鋼の内筒管
▲４▼攪拌装置
▲５▼スクリュー装置
▲６▼セパレート式高温高速ターボジェットバーナー装置
▲７▼上架台
▲８▼下架台
▲９▼回転軸支柱
▲１０▼排出口
【図１】
2008070101.tif 000003